(57)【要約】【課題】錠の鍵穴に差し込んだ鍵を回動操作した後に、鍵穴から鍵を従来よりも比較的抜き取り易い状態に戻すことができる遊技機を提供する。【解決手段】遊技機の開閉部材（前面枠等）を施錠する施錠装置は、専用の鍵を用いて操作されるシリンダ錠５０と、そのシリンダ錠の錠軸５０ａと一体回動可能なカム５２と、そのカム５２の動きに応じて当該施錠装置の施錠又は解錠の状態を切替え可能な施解錠機構（作動部材３０等）とを備える。カム５２と作動部材３０とは、所定の遊びを持たせた作動連結関係にある。施錠装置の枠体２１とカム５２との間には復帰バネ５８が設けられており、この復帰バネ５８は、専用鍵によるシリンダ錠５０の回動操作後にカム５２をシリンダ錠の鍵穴から鍵を抜き取り可能な待機位置又はその近傍に強制復帰させる役目を担う。【選択図】　　　図５
2004008491.tif 000002
【特許請求の範囲】
【請求項１】
鍵を用いて操作される錠を備えた遊技機において、前記錠の鍵穴に鍵を差し込んで回動操作した後に、当該錠の状態を鍵穴から鍵を抜き取り可能な待機状態又はその待機状態に近い状態に強制復帰させるための復帰手段を設けたことを特徴とする遊技機。
【発明の詳細な説明】
【０００１】
【発明の属する技術分野】
本発明は遊技機に関し、特に、鍵を用いて操作される錠を備えた遊技機に関するものである。
【０００２】
【従来の技術】
一般にパチンコ機等の遊技機には、様々な箇所に錠が取り付けられ、あるいは錠を利用した装置が設けられている。例えば、パチンコ機においては、遊技機前面の開閉部材たる前面枠（前面扉ともいう）やガラス枠を店員以外の者が無断で開放できないようにするための施錠装置が設けられている。かかる施錠装置としては、鍵で解錠操作されるシリンダ錠と、そのシリンダ錠に連動するカム（可動片）と、そのカムの動きに応じて当該施錠装置の施錠又は解錠の状態を切替え可能な施解錠機構とを具備するものが知られている。
【０００３】
【発明が解決しようとする課題】
しかしながら、従来の遊技機では、錠の鍵穴に鍵を差し込み鍵を回動操作した後でその錠から鍵を抜き取るためには、手で鍵を回動させて錠軸を正規の待機位置に戻すという操作を強いられることがあった。このため、遊技場の店員にとって、従来の遊技機に備え付けられた錠あるいは錠を利用した装置は鍵が抜き取りにくく扱いづらいものとなっていた。
【０００４】
本発明の目的は、錠の鍵穴に差し込んだ鍵を回動操作した後に、鍵穴から鍵を従来よりも比較的抜き取り易い状態に戻すことができる遊技機を提供することにある。
【０００５】
【課題を解決するための手段】
本欄では各請求項に記載の発明のほかに、本発明の更に好ましい態様や追加的構成要件についても列挙し、必要に応じて作用等に関する簡単な注釈を加える。尚、請求項１は下記手段１に対応する。
【０００６】
手段１（請求項１）．鍵を用いて操作される錠を備えた遊技機において、前記錠の鍵穴に鍵を差し込んで回動操作した後に、当該錠の状態を鍵穴から鍵を抜き取り可能な待機状態又はその待機状態に近い状態に強制復帰させるための復帰手段を設けたことを特徴とする遊技機。
【０００７】
手段１の遊技機によれば、錠の鍵穴に鍵を差し込んで回動操作した後、鍵を回動操作した手の力を緩めると、復帰手段が働いて、錠の状態が鍵穴から鍵を抜き取り可能な待機状態又はその待機状態に近い状態に強制復帰される。つまり本発明によれば、鍵の回動操作後、人の手を介さずに、鍵穴から鍵を従来よりも比較的抜き取り易い状態に戻すことができる。特に、前記待機状態に復帰させることで、鍵穴から鍵を楽に抜き取ることが可能となる。なお、鍵穴から鍵を抜き取り可能な待機状態とは、鍵穴に対して鍵を差し込み可能な状態でもある。また、待機状態に近い状態とは、あと僅かに鍵を微回動すれば、鍵穴から鍵を抜き取り可能な前記待機状態にいたらしめることができる状態をいう。
【０００８】
尚、この明細書において「錠」とは、扉などの部材の戸締りに用いられる狭義の錠に限定されるものではなく、鍵との組合せ使用により施錠及び解錠を行うことができる広い意味での機械部品（即ち広義の錠）を意味するものである。
【０００９】
手段２．上記手段１に記載の遊技機において、前記錠には、その錠の錠軸と共に一体回動可能な可動片が設けられ、その可動片と錠の支持体又は錠の本体との間に設けられたバネにより、前記復帰手段が構成されること。
【００１０】
手段２によれば、復帰手段としてバネを採用することにより、可動片及びそれと一体回動する錠軸を回動後位置から所定の待機位置又はその近傍に強制復帰させるための復帰手段を比較的安価に且つ簡素な機械要素で構成することができる。なお、前記バネとしては、例えばコイルバネがあげられる。
【００１１】
手段３．上記手段１又は２に記載の遊技機において、前記錠には、その錠の錠軸と共に一体回動可能な可動片が設けられ、その可動片と錠の支持体又は錠の本体との間において前記可動片が所定の待機位置から所定方向に回動した際に伸張可能に設けられたバネにより、前記復帰手段が構成されること。
【００１２】
手段３によれば、錠の鍵穴に鍵を差し込んで回動操作することにより、可動片が所定の待機位置から所定方向に回動した際に、錠の支持体又は錠の本体と可動片との間に設けられたバネが伸張される。この伸張に伴い、当該バネには元の長さに戻ろうとする復元力（バネ力）が生じ、この復元力が可動片を回動後位置から元の待機位置に戻そうとするモーメントを生み出す。即ち、錠の支持体又は錠の本体と可動片との間において可動片の回動時に伸張可能に設けられたバネは、可動片を所定の待機位置又はその近傍に強制復帰させる復帰手段として有効に機能する。尚、前記伸張可能なバネとしては、例えばコイルバネがあげられる。
【００１３】
手段４．上記手段３に記載の遊技機において、前記復帰手段としてのバネは、前記可動片が待機位置に配置された状態において、錠の錠軸と該バネの非可動片側端部とを結ぶ仮想線上に該バネの可動片側端部が位置するように設けられていること。
【００１４】
手段４によれば、錠の錠軸とバネの非可動片側端部とを結ぶ仮想線上に該バネの可動片側端部が位置するような設置状況下では、該バネにバネ力が働いていたとしても、可動片の回動軸たる錠軸周りでのモーメントは発生せず、可動片は回動しない（即ち待機位置に停止する）。なお、その場合バネは最短状態となる。可動片が待機位置から回動されると、バネが伸ばされ、その伸びを解消しようとする復元力（バネ力）が発生すると共に、バネの可動片側端部が錠の錠軸とバネの非可動片側端部とを結ぶ仮想線から外れることで、前記復元力に基づくモーメントが発生する。このモーメントは、可動片の回動方向にかかわらず可動片を回動後位置から待機位置に復帰させる方向に働き、可動片が待機位置に戻ったときに消滅する。この構成によれば、バネにより、可動片を待機位置に安定保持することと、回動後における可動片の強制復帰とが同時に達成される。
【００１５】
手段５．開閉部材及びその開閉部材を施錠する施錠装置を備えた遊技機において、前記施錠装置は、鍵を用いて操作される錠と、その錠の錠軸と共に一体回動可能な可動片と、その可動片に作動連結すると共に可動片の動きに応じて当該施錠装置の施錠又は解錠の状態を切替え可能な施解錠機構と、鍵による錠の回動操作後に前記可動片を錠の鍵穴から鍵を抜き取り可能な待機位置又はその近傍に強制復帰させるための復帰手段とを備えていることを特徴とする遊技機。
【００１６】
手段５の遊技機によれば、錠の鍵穴に鍵を差し込み回動操作することで、錠の錠軸と一緒に可動片が回動すると共に、その可動片の動きに応じた施解錠機構の切替え動作に基づき、施錠状態にある開閉部材が解錠される。解錠後、鍵を回動操作した手の力を緩めると、復帰手段が働いて、可動片及びそれと一体回動する錠軸が錠の鍵穴から鍵を抜き取り可能な待機位置又はその近傍に強制復帰される。つまり本発明によれば、鍵で開閉部材を解錠した後に手で鍵を元の待機位置に戻すという面倒な操作を殊更行わずとも、鍵穴から鍵を従来よりも比較的抜き取り易い状態に戻すことができる。特に、前記待機位置に復帰させることで、鍵穴から鍵を楽に抜き取ることが可能となる。なお、鍵穴から鍵を抜き取り可能な待機位置とは、鍵穴に対して鍵を差し込み可能な位置でもある。また、待機位置の近傍とは、あと僅かに鍵を微回動すれば、鍵穴から鍵を抜き取り可能な前記待機位置にいたらしめることができる位置をいう。
【００１７】
手段６．前記復帰手段は、施錠機構の枠体又は錠の本体と前記可動片との間に設けられたバネにより構成されることを特徴とする手段５に記載の遊技機。
【００１８】
手段６によれば、復帰手段としてバネを採用することにより、可動片及びそれと一体回動する錠軸を回動後位置から前記待機位置又はその近傍に強制復帰させるための復帰手段を比較的安価に且つ簡素な機械要素で構成することができる。なお、前記バネとしては、例えばコイルバネがあげられる。
【００１９】
手段７．前記復帰手段は、施錠機構の枠体又は錠の本体と前記可動片との間において、前記可動片が前記待機位置から所定方向に回動した際に伸張可能に設けられたバネにより構成されることを特徴とする手段５又は６に記載の遊技機。
【００２０】
手段７によれば、錠の鍵穴に鍵を差し込み回動操作することにより可動片が待機位置から所定方向に回動した際に、施錠機構の枠体又は錠の本体と可動片との間に設けられたバネが伸張される。この伸張に伴い、バネには元の長さに戻ろうとする復元力（バネ力）が生じ、この復元力が可動片を回動後位置から元の待機位置に戻そうとするモーメントを生み出す。即ち、施錠機構の枠体又は錠の本体と可動片との間において可動片の回動時に伸張可能に設けられたバネは、可動片を待機位置又はその近傍に強制復帰させる復帰手段として有効に機能する。尚、前記伸張可能なバネとしては、例えばコイルバネがあげられる。
【００２１】
手段８．前記復帰手段としてのバネは、前記可動片が待機位置に配置された状態において、錠の錠軸と該バネの非可動片側端部とを結ぶ仮想線上に該バネの可動片側端部が位置するように設けられていることを特徴とする手段７に記載の遊技機。
【００２２】
手段８によれば、錠の錠軸とバネの非可動片側端部とを結ぶ仮想線上に該バネの可動片側端部が位置するような設置状況下では、バネにバネ力が働いていたとしても、可動片の回動軸たる錠軸周りでのモーメントは発生せず、可動片は回動しない（即ち待機位置に停止する）。なお、その場合、バネは最短状態となる。可動片が待機位置から回動されると、バネが伸ばされ、その伸びを解消しようとする復元力（バネ力）が発生すると共に、バネの可動片側端部が錠の錠軸とバネの非可動片側端部とを結ぶ仮想線から外れることで、前記復元力に基づくモーメントが発生する。このモーメントは、可動片の回動方向にかかわらず可動片を回動後位置から待機位置に復帰させる方向に働き、可動片が待機位置に戻ったときに消滅する。この構成によれば、バネにより、可動片を待機位置に安定保持することと、回動後における可動片の強制復帰とが同時に達成される。
【００２３】
なお、手段７及び８において、「バネの一端部を係止するための係止部を可動片に設けると共に、バネの他端部を係止するための係止部を枠体又は錠の本体に設けること」は好ましい。
【００２４】
手段９．前記可動片と前記施解錠機構との作動連結関係は、可動片が前記待機位置に配置されるときに両者間に所定の遊びが確保されるように構築されていることを特徴とする手段５，６，７又は８に記載の遊技機。
【００２５】
手段９によれば、可動片が待機位置（錠の鍵穴に鍵を抜き差し可能な位置）に配置されるときに可動片と施解錠機構との間に所定の遊びが確保されるように可動片と施解錠機構との作動連結関係が構築されている。このため、施錠装置の組立てが容易になると共に可動片と施解錠機構との間の動作の円滑性が確保されるという利点がある反面、施解錠機構の動きが可動片に波及して可動片が自動的に前記待機位置に復帰するという作用を期待できない。故に、可動片と施解錠機構との間に所定の遊びが確保される場合には、復帰手段を設け、鍵による錠の回動操作後に可動片を錠の鍵穴から鍵を抜き取り可能な待機位置又はその近傍に強制復帰させることの技術的意義（又は技術的必要性）は大きい。
【００２６】
手段１０．前記遊技機は、前記開閉部材としての第１及び第２の開閉部材を備えており、前記可動片は、その動きに応じて前記施解錠機構と選択的に作動連結可能な第１腕部及び第２腕部を有し、前記施解錠機構は、可動片の第１腕部との作動連結時に第１開閉部材を解錠可能とする第１開閉部材用施解錠機構と、可動片の第２腕部との作動連結時に第２開閉部材を解錠可能とする第２開閉部材用施解錠機構とから構成されており、前記可動片が前記待機位置に配置されるときに、可動片の第１腕部と第１開閉部材用施解錠機構との間に所定の遊びが確保されると共に、可動片の第２腕部と第２開閉部材用施解錠機構との間にも所定の遊びが確保されるように、前記可動片と前記施解錠機構との作動連結関係が構築されていることを特徴とする手段５，６，７又は８に記載の遊技機。
【００２７】
手段１０によれば、鍵による錠の解錠操作に応じて可動片が作動し、可動片の第１腕部又は第２腕部が、施解錠機構を構成する第１開閉部材用施解錠機構又は第２開閉部材用施解錠機構と選択的に作動連結する。可動片の第１腕部が第１開閉部材用施解錠機構に作動連結するときには第１開閉部材が解錠可能となり、可動片の第２腕部が第２開閉部材用施解錠機構に作動連結するときには第２開閉部材が解錠可能となる。そして、可動片が待機位置（錠の鍵穴に鍵を抜き差し可能な位置）に配置されるときに、可動片の第１腕部と第１開閉部材用施解錠機構との間に所定の遊びが確保されると共に、可動片の第２腕部と第２開閉部材用施解錠機構との間にも所定の遊びが確保されるように、前記可動片と前記施解錠機構との作動連結関係が構築されている。このため、施錠装置の組立てが容易になると共に、可動片と第１開閉部材用及び第２開閉部材用施解錠機構との間の動作の円滑性が確保されるという利点がある反面、第１開閉部材用又は第２開閉部材用施解錠機構の動きが可動片に波及して可動片が自動的に前記待機位置に復帰するという作用を期待できない。故に、可動片と第１開閉部材用及び第２開閉部材用施解錠機構との間に所定の遊びが確保される場合には、復帰手段を設け、鍵による錠の回動操作後に可動片を錠の鍵穴から鍵を抜き取り可能な待機位置又はその近傍に強制復帰させることの技術的意義（又は技術的必要性）は大きい。
【００２８】
手段１１．上記手段２〜１０に記載の遊技機において、前記錠は、その正面側に前記鍵を差し込む鍵穴を有しており、前記可動片は当該錠の背面側に設けられていること。
【００２９】
手段１１によれば、可動片は錠の背面側に設けられているため、錠の正面側から可動片に対し直接不正な操作（例えば隙間から針金を差し込んで可動片を動かそうとするような操作）を試みようとしても、錠自体が邪魔になって可動片を操作することが極めて難しい。このため、防犯性が高められる。
【００３０】
なお、上記手段１〜１１において、「前記錠がシリンダ錠であること」は好ましい。また、可動片としては、後述するような「カム」を例示できる。
【００３１】
手段１２．手段１から手段１１のいずれかにおいて、前記遊技機はパチンコ機であること。中でも、パチンコ機の基本構成としては、操作ハンドルを備えており、そのハンドル操作に応じて遊技球を所定の遊技領域に発射させ、遊技球が遊技領域内の所定の位置に配置された作動口に入賞することを必要条件として表示装置における図柄の変動表示が開始すること、又、特別遊技状態発生中には遊技領域内の所定の位置に配置された入賞口が所定の態様で開放されて遊技球を入賞可能として、その入賞個数に応じた有価価値（景品球のみならず、磁気カードへの書込み等も含む）が付与されること等が挙げられる。上記パチンコ機には少なくとも、多数個の遊技球を取得できる遊技者に有利な状態である特別遊技状態（大当り状態）と、遊技球を消費する遊技者に不利な状態である通常遊技状態の二種類の遊技状態が存在する。
【００３２】
手段１３．手段１から手段１１のいずれかにおいて、前記遊技機はスロットマシンであること。中でも、スロットマシンの基本構成としては、「遊技状態に応じてその遊技状態を識別させるための複数の図柄からなる図柄列を変動表示した後に図柄を確定表示する表示装置を備え、始動用操作手段（例えば操作レバー）の操作に起因して図柄の変動が開始され、停止用操作手段（例えばストップボタン）の操作に起因して或いは所定時間経過することにより図柄の変動が停止され、その停止時の確定図柄が特定図柄であることを必要条件として遊技者に有利な特別遊技状態を発生させる特別遊技状態発生手段とを備えた遊技機」となる。この場合、遊技媒体は、コイン、メダル等が代表例として挙げられる。上記遊技機には少なくとも、多数個の遊技媒体を取得できる遊技者に有利な状態である特別遊技状態（大当り状態）と、遊技媒体を消費する遊技者に不利な状態である通常遊技状態の二種類の遊技状態が存在する。
【００３３】
手段１４．手段１から手段１１のいずれかにおいて、前記遊技機はパチンコ機とスロットマシンとを融合させた遊技機であること。中でも、前記融合させた遊技機の基本構成としては、「遊技状態に応じてその遊技状態を識別させるための複数の識別情報からなる図柄列を変動表示した後に図柄を確定表示する表示装置を備え、始動用操作手段（例えば操作レバー）の操作に起因して図柄の変動が開始され、停止用操作手段（例えばストップボタン）の操作に起因して或いは所定時間経過することにより図柄の変動が停止され、その停止時の確定図柄が特定図柄であることを必要条件として遊技者に有利な特別遊技状態を発生させる特別遊技状態発生手段とを備え、遊技媒体として遊技球を使用するとともに、前記識別情報の変動開始に際しては所定数の遊技球を必要とし、特別遊技状態の発生に際しては多くの遊技球が払い出されるよう構成されてなる遊技機」となる。上記遊技機には少なくとも、多数個の遊技球を取得できる遊技者に有利な状態である特別遊技状態（大当り状態）と、遊技球を消費する遊技者に不利な状態である通常遊技状態の二種類の遊技状態が存在する。
【００３４】
【発明の実施の形態】
以下に、本発明を遊技機としてのパチンコ機に具体化した一実施形態を図面を参照して説明する。図１及び図２に示すようにパチンコ機１０は、外枠１１と、前面枠１２（内枠ともいう）と、ガラス板が嵌め込まれたガラス枠１３と、遊技盤１４とを備えている。遊技盤１４は前面枠１２の内側（裏側）に組み付けられており、前面枠１２と遊技盤１４とが一体化して前面扉を構成している。前面枠１２は外枠１１の左側に設けられた上下一対のヒンジ部１５，１５を介して当該外枠１１に対し回動可能に取り付けられ、前面扉（１２，１４）は外枠１１に対して開閉可能となっている。また、ガラス枠１３は、上下一対の軸支部１６，１６により前面枠１２に対して開閉可能に支持されている。このパチンコ機１０では、前面枠１２が第１の開閉部材に相当し、ガラス枠１３が第２の開閉部材に相当する。
【００３５】
なお、前面枠１２及び遊技盤１４によって構成されるパチンコ機の正面は、その略上半部を占めるガラス枠１３で区画された遊技盤領域と、略下半部を占めると共に前面枠１２に造作された操作領域とに区分される。遊技盤領域には、表示装置、大小様々の入賞口、風車、ランプ、スピーカ、その他の遊技性を高めるための器具や装置（いずれも図示略）が設けられている。他方、操作領域には、弾発のための発射操作ハンドル１７、打球供給皿としての上受け皿１８、余剰玉受皿としての下受け皿１９、その他の器具や装置が設けられている。
【００３６】
前面枠１２の裏面の片側には、縦長の施錠装置２０が設けられている。この施錠装置２０は、前面枠１２が閉じられたときに前面枠１２を外枠１１に係止して開放不能とするための前面枠用施解錠機構（第１開閉部材用施解錠機構）と、ガラス枠１３が閉じられたときにガラス枠１３を前面枠１２に係止して開放不能とするためのガラス枠用施解錠機構（第２開閉部材用施解錠機構）とを備えた前面枠及びガラス枠両用の施錠装置である。なお、外枠１１の右側内部には、前面枠１２の施錠に関与する被係止部として、上下一対の受け金具１１ａ，１１ｂが固定されている。各受け金具は例えば高剛性の金属板を曲げ形成したものである。同様に前面枠１２及び／又はガラス枠１３には、ガラス枠１３の施錠に関与する被係止部又は被係止機構（図示略）が設けられている。
【００３７】
図３は横倒し状態の施錠装置２０を示し、図４及び図５はその施錠装置２０の主要部を拡大して示す。施錠装置２０は、パチンコ機への取付時に上下方向（図３〜図５では左右方向）に延びる枠体２１を備えている。支持体としての枠体２１は長尺な金属板をほぼ直角に曲げてアングル状（横断面Ｌ字状）に板金加工したものであり、互いに略直交する第１取付け板２２と第２取付け板２３とを有している。この枠体の第１取付け板２２に対しシリンダ錠５０を取付けると共に、第２取付け板２３に対し作動部材３０や上下一対の鉤部材４１Ａ，４１Ｂ等を取り付けることで施錠装置２０が構成されている。
【００３８】
作動部材３０は、枠体２１の長手方向に沿って延びる長尺な板状部材であり、第２取付け板２３に沿ってスライド可能に設けられている。作動部材３０の第２取付け板２３に沿ったスライドは、専用の鍵Ｋによるシリンダ錠５０の解錠操作に基づくものであり、この点については後ほど詳述する。
【００３９】
作動部材３０の両端部近傍には、前記上側の受け金具１１ａと係合可能な上側（図３では右側）の鉤部材４１Ａと、前記下側の受け金具１１ｂと係合可能な下側（図３では左側）の鉤部材４１Ｂとが、枠体の第２取付け板２３に沿ってスライド可能に設けられている。上側の鉤部材４１Ａに着目して更に詳しく説明すると、図５に示すように、上側鉤部材４１Ａの一側面にはガイドピン４２が突設され、そのガイドピン４２は第２取付け板２３に形成されたガイド溝２４内に係入している。ガイド溝２４の幅（高さ）はガイドピン４２の軸部の径にほぼ等しいが、ガイドピン４２の頭部は軸部よりも大径化されており、その大径頭部が第２取付け板２３の一側面に接触摺動する構成となっている。このため、上側鉤部材４１Ａは、第２取付け板２３に対し平行状態を保ちながら前記ガイド溝２４の範囲内でスライド可能となっている。
【００４０】
図４及び図５に示すように、上側鉤部材４１Ａの一側面に突設されたフック部４３と、枠体の第１取付け板２２に突設されたフック部２５との間にはコイルバネ４４が架設されている。このコイルバネ４４は、上側鉤部材４１Ａ及びガイドピン４２を枠体２１の上端に向けて常時付勢するが、ガイドピン４２がガイド溝２４の上端部（図５では右端部）に当接することで上側鉤部材４１Ａのそれ以上の上動が規制される。これにより、上側鉤部材４１Ａが上側受け金具１１ａと係合する施錠位置（図４の実線位置）に位置決めされる。
【００４１】
また、第２取付け板２３と上側鉤部材４１Ａとの間には、作動部材３０の上端部が進入配置されている。その作動部材３０の上端部には、ガイドピン４２の軸部を収容する逃げ溝３１が形成されており、通常時（上側鉤部材４１Ａが施錠位置にあるとき）には、ガイドピン４２は逃げ溝３１の上端部（図５では右端部）に位置する。この逃げ溝３１は、作動部材３０を図５の待機位置から所定量上動（図５では右移動）させる場合（図６（Ａ）参照）には、ガイドピン４２等によって作動部材３０の上動が阻害されないようにする一方で、作動部材３０を図５の待機位置から所定量下動（図５では左移動）させる場合（図６（Ｂ）参照）には、ガイドピン４２と逃げ溝３１の上端部との係合関係に基づき、コイルバネ４４の弾性に抗して作動部材３０と共に上側鉤部材４１Ａを下動させるための機械構造を提供する。下側の鉤部材４１Ｂの構造も、上側の鉤部材４１Ａとほぼ同様の構造となっている。
【００４２】
即ち、上側及び下側の鉤部材４１Ａ，４１Ｂは、作動部材３０が上動する場合には、作動部材３０から何の影響も受けず作動部材３０の上動を無条件に許容するが、作動部材３０が下動する場合には、作動部材３０と一緒に下動して施錠位置（図５参照）から解錠位置（図６（Ｂ）参照）にスライド変位し、それぞれ対応する受け金具１１ａ，１１ｂとの係合関係を同時に解除するというような選択的作動連結関係を作動部材３０との間に構築している。
【００４３】
図３に示すように、枠体２１の略中央部及び下端部並びに作動部材３０の略中央部及び下端部には、ガラス枠１３の施錠又は解錠に関与する一対のガラス枠用係合機構３３，３３が設けられている。各ガラス枠用係合機構３３は、作動部材３０の一側面に突設されたガイドピンを係入するためのガイド溝（兼逃げ溝）が形成された摺動体３３ａと、その摺動体３３ａを下向き方向に付勢するコイルバネ３３ｂとを少なくとも具備している。ガラス枠用係合部としての摺動体３３ａは、前面枠１２及び／又はガラス枠１３に設けられたガラス枠１３を施錠又は解錠するための機構（周知ゆえ説明を省略）と、作動部材３０とを機械的に連動させるための部材であり、作動部材３０の上下動に伴う摺動体３３ａの位置変化に応じて、ガラス枠１３の施錠又は解錠の状態が切り替わる。
【００４４】
また、前記ガラス枠用係合機構３３は、作動部材３０を選択的に付勢するための選択的付勢機構としての働きも兼ねている。即ち、各ガラス枠用係合機構（選択的付勢機構）３３は、作動部材３０が下動する場合には作動部材３０に対し何の影響も及ぼさず作動部材３０の下動を無条件に許容するが、作動部材３０が上動する場合には、作動部材３０を元位置（待機位置）に復帰させる方向（図３の左方向）への付勢作用を及ぼすという働きをする。
【００４５】
なお、専用鍵Ｋでシリンダ錠５０が操作されないときに（通常時に）、作動部材３０が図３及び図５に示す待機位置に安定的に保持されるのは、各コイルバネ４４により上向き付勢される上側鉤部材４１Ａ及び下側鉤部材４１Ｂ、並びに、各コイルバネ３３ｂにより下向き付勢される一対のガラス枠用係合機構（選択的付勢機構）３３，３３に対して作動部材３０が都合４本のガイドピンを介して係合することで、作動部材３０の待機位置が一義的に決定されることによるものである。そして、作動部材３０に外力を及ぼして作動部材３０を待機位置から上動させようとすると、一対のガラス枠用係合機構（選択的付勢機構）３３，３３に付属する二つのコイルバネ３３ｂが作動部材３０を元位置（待機位置）に戻そうとする。他方、作動部材３０を待機位置から下動させようとすると、上側及び下側の鉤部材４１Ａ，４１Ｂに割り当てられた二つのコイルバネ４４が作動部材３０を元位置（待機位置）に戻そうとする。
【００４６】
図４及び図５に示すように、枠体２１の上端寄り位置において枠体の第１取付け板２２には、シリンダ錠５０が設けられている。特に図４に示すように、第１取付け板２２には、シリンダ錠用の一対の取付支持部２６，２６が所定間隔を隔てて突設されている。また、シリンダ錠５０の背面側（鍵穴と反対側）には取付フランジ５１が一体化されている。この取付フランジ５１を前記一対の取付支持部２６，２６に載せてからネジ２７で各取付支持部２６に固定することにより、シリンダ錠５０が枠体２１に対して固着されている。
【００４７】
シリンダ錠５０の背面側に突出した錠軸５０ａには、可動片としてのカム５２が一体回動可能に取付けられている。特に図５に示すように、カム５２は、第１腕部５４及び第２腕部５５を有しており、錠軸５０ａを中心とした両腕部５４，５５間の角度は約８０度に設定されている。他方、作動部材３０には、カムの第１腕部５４と係合可能な第１係合溝３４及びカムの第２腕部５５と係合可能な第２係合溝３５が形成されている。専用鍵Ｋによるシリンダ錠５０の操作に応じ、カム５２は、時計方向（図６（Ａ）参照）又は反時計方向（図６（Ｂ）参照）に回動する。カム５２が所定方向に所定量回動すると、第１腕部５４又は第２腕部５５がそれぞれ対応する第１係合溝３４又は第２係合溝３５に進入すると共に、進入した溝の一端部に係合して作動部材３０を特定方向に押して移動させる。
【００４８】
尚、図５に示すように、錠軸５０ａ及びカム５２が正規の待機位置に配置されているとき、カム５２の第１腕部５４及び第２腕部５５のいずれも、対応する第１係合溝３４及び第２係合溝３５とは係合しておらず、各腕部と係合溝端部との間には遊び（若干の隙間）が存在する。この遊びは、施錠装置２０の組立てを容易にすると共に、作動部材３０とカム５２との間の動作の円滑性を確保する目的で意図的に確保されたものである。
【００４９】
更に図４及び図５に示すように、シリンダ錠５０の近傍において枠体の第１取付け板２２上には支柱２８が立設され、その支柱２８の先端（上端）には、バネの一端部を係止するためのフック部２９が形成されている。また、カム５２の上面には、バネの他端部を係止するためのフック部５３が設けられている。このフック部５３は、カム５２が図５に示す待機位置（シリンダ錠５０が専用鍵Ｋで操作されないときの位置）に配置されているときに、錠軸５０ａの中心軸線ｘと前記支柱２８のフック部２９とを真っ直ぐ結ぶ仮想線上にフック部５３が位置し得るように位置決めされている。
【００５０】
そして、支柱２８のフック部２９（枠体側のバネ用係止部）とフック部５３（カム側のバネ用係止部）との間には、復帰手段としての復帰バネ５８が架設されている。復帰バネ５８は、好ましくはコイルバネである。復帰バネ５８は、その両端部をフック部２９及び５３にそれぞれ係止させたとき、同バネが縮む方向に付勢力を及ぼす。そして、図５に示す待機位置にカム５２が配置されているときに、両フック部２９，５３間に設けられた復帰バネ５８の長さが最短となる。シリンダ錠５０を操作してカム５２を図５の待機位置から時計方向又は反時計方向のいずれに回動しても、復帰バネ５８は、カム５２の回動に伴って伸ばされる。復帰バネ５８が伸張されるに従い、復帰バネ５８には元の長さに戻ろうとする復元力が蓄力される。その復元力は、シリンダ錠５０を操作する外力（即ち鍵Ｋを回す手の力）が消滅したときに、カム５２を図５の待機位置に復帰させるモーメントを生み出す。
【００５１】
カム５２が図５の待機位置に復帰した後も復帰バネ５８には一定の収縮力が働き続けるが、図５の状態では、復帰バネ５８の伸縮方向軸線が、錠軸５０ａの中心軸線ｘと前記支柱のフック部２９とを結ぶ仮想線に一致するため、復帰バネ５８に収縮力が作用し続けても、カム５２を待機位置から更に回動させようとするモーメントは生じない。つまりシリンダ錠５０を操作する外力が働かなければ、復帰バネ５８の作用によってカム５２及び錠軸５０ａは図５の待機位置に安定的に保持される。
【００５２】
なお、図面における線の交錯・複雑化を避けるため、図３には、支柱２８、フック部２９、カム上のフック部５３及び復帰バネ５８を図示していない。
【００５３】
次に、施錠装置２０の作用等について説明する。
前面枠１２及びガラス枠１３が完全に閉じられると共にシリンダ錠５０の鍵穴に対して専用鍵Ｋが差し込まれていない施錠状態においては、作動部材３０もカム５２も図５に示す待機位置に配置される。この状態では、上側及び下側の鉤部材４１Ａ，４１Ｂがそれぞれ対応する受け金具１１ａ，１１ｂと係合して前面枠１２が開放不能になると共に、ガラス枠用係合部としての摺動体３３ａ，３３ａが施錠位置に配置されてガラス枠１３も開放不能となっている。また、復帰バネ５８は前述のような最短状態にあり、この復帰バネ５８によってカム５２及び錠軸５０ａは正規の待機位置に保持され、シリンダ錠５０の鍵穴に対して専用鍵Ｋを円滑に抜き差し可能となっている。
【００５４】
上記の施錠状態からガラス枠１３を解錠したい場合には、シリンダ錠５０の鍵穴に専用鍵Ｋを差し込み、その専用鍵Ｋをパチンコ機１０の正面（図１参照）から見て左方向（反時計方向）に回動する。すると、図６（Ａ）に示すように、カム５２が時計方向に回動して、カムの第２腕部５５が作動部材の第２係合溝３５に進入すると共に第２係合溝３５の上端部（図６では右端部）に当接する。更にカム５２が時計方向に回動されるに従い、第２腕部５５によって作動部材３０が押されながら上方向（図６では右方向）に移動する。図６（Ａ）はカム５２を時計方向に約４０度回動した状態を示す。カム５２を時計方向に約４０度回動することで、作動部材３０が所定距離だけ上動し、それに伴いガラス枠用係合部としての摺動体３３ａ，３３ａも同じ距離だけ上方に変位してガラス枠１３が解錠される。
【００５５】
ガラス枠１３が解錠された時点で鍵Ｋを操作する手の力を緩めると、作動部材３０の上動時に蓄力された両選択的付勢機構３３のコイルバネ３３ｂのバネ力により、作動部材３０が元位置（待機位置）に強制復帰される。これに伴い、作動部材３０がカムの第２腕部５５を押してカム５２を待機位置付近にまで回動させるが、作動部材３０はカム５２を図５に示す正規の待機位置に完全復帰させるまでには到らない。作動部材３０が元位置に復帰した瞬間は、カムの第２腕部５５と第２係合溝３５の端部とは接触状態にあるが、その後は、復帰バネ５８のバネ力によってカム５２が反時計方向に更に微回動され、カムの第２腕部５５が作動部材の第２係合溝３５から離脱する。そして第２腕部５５と第２係合溝３５との係合関係を解消しながら、カム５２は図５に示す正規の待機位置に完全復帰し、そこで停止する。その結果、シリンダ錠５０の鍵穴から専用鍵Ｋを円滑に抜き取ることが可能となる。
【００５６】
他方、上記の施錠状態から前面枠１２を解錠したい場合には、シリンダ錠５０の鍵穴に専用鍵Ｋを差し込み、その専用鍵Ｋをパチンコ機１０の正面（図１参照）から見て右方向（時計方向）に回動する。すると、図６（Ｂ）に示すように、カム５２が反時計方向に回動して、カムの第１腕部５４が作動部材の第１係合溝３４に進入すると共に第１係合溝３４の下端部（図６では左端部）に当接する。更にカム５２が反時計方向に回動されるに従い、第１腕部５４によって作動部材３０が押されながら下方向（図６では左方向）に移動する。作動部材３０の下動に伴い、逃げ溝３１の端部によってガイドピン４２と一緒に上側鉤部材４１Ａが押し下げられる。同様に、作動部材３０の下動に伴って下側鉤部材４１Ｂも押し下げられる。尚、図６（Ｂ）はカム５２を反時計方向に約４０度回動した状態を示す。カム５２を反時計方向に約４０度回動することで、作動部材３０が所定距離だけ下動し、それに伴い上側及び下側鉤部材４１Ａ，４１Ｂも同じ距離だけ下方に変位して、それぞれ対応する受け金具１１ａ，１１ｂとの係合が解除され前面枠１２が解錠される。
【００５７】
前面枠１２が解錠された時点で鍵Ｋを操作する手の力を緩めると、作動部材３０の下動時に蓄力された上側及び下側鉤部材４１Ａ，４１Ｂのコイルバネ４４のバネ力により、作動部材３０が元位置（待機位置）に強制復帰される。これに伴い、作動部材３０がカムの第１腕部５４を押してカム５２を待機位置付近にまで回動させるが、作動部材３０はカム５２を図５に示す正規の待機位置に完全復帰させるまでには到らない。作動部材３０が元位置に復帰した瞬間は、カムの第１腕部５４と第１係合溝３４の端部とは接触状態にあるが、その後は、復帰バネ５８のバネ力によってカム５２が時計方向に更に微回動され、カムの第１腕部５４が作動部材の第１係合溝３４から離脱する。そして第１腕部５４と第１係合溝３４との係合関係を解消しながら、カム５２は図５に示す正規の待機位置に完全復帰し、そこで停止する。その結果、シリンダ錠５０の鍵穴から専用鍵Ｋを円滑に抜き取ることが可能となる。
【００５８】
以下に本実施形態の効果を述べるが、その前に従来のパチンコ機用の施錠装置の問題点（欠点）について簡単に指摘する。従来のパチンコ機用施錠装置では、シリンダ錠の鍵穴に専用鍵を差し込み、その鍵を例えば右に回せば前面枠が解錠され、左に回せばガラス枠が解錠されるといった設計となっている。手で鍵を右又は左に回した後に手の力を緩めると、施解錠機構が備えるバネの力によって施解錠機構が待機状態（前面枠等の施錠状態）に戻ろうとし、その反作用でカム及びシリンダ錠の錠軸も最初の位置（鍵を右又は左に回動操作する前の待機位置）に戻ろうとする。ところが、前記カムと施解錠機構との間の作動連結関係は実際にはそれほどタイトなものではなく、動作の円滑性を確保する等の理由から一定の遊びを持たせる設計がむしろ普通となっている。このような遊びがあるために鍵を操作する手の力を緩めた際に施解錠機構が待機状態に戻ろうとするときの反作用でカム及びシリンダ錠の錠軸が最初の位置（待機位置）に戻ろうとする場合であっても、前記カム及びシリンダ錠の錠軸が正規の待機位置まで完全復帰するとは限らない。カム及び錠軸が正規の待機位置まで戻らなければシリンダ錠の鍵穴から鍵を抜き取ることができないため、最終的には店員が手で鍵を回動させて錠軸を正規の待機位置に戻す必要があった。
【００５９】
この点、本実施形態によれば、作動部材３０とカム５２との間に一定の遊びを確保しながら施錠装置２０が組み立てられているにもかかわらず、カム５２用の復帰バネ５８の作用により、専用鍵Ｋを回動操作した後の手の力を緩めるだけでカム５２及び錠軸５０ａを正規の待機位置に即座に且つ正確に復帰させることができる。このため、本実施形態のパチンコ機には、従来例について指摘したような欠点が無い。即ち、鍵Ｋを右又は左に回動操作した後でシリンダ錠５０から鍵Ｋを抜き取るために、店員が手で鍵Ｋを回動させてカム５２及びシリンダ錠の錠軸５０ａを正規の待機位置に戻すという回動操作を強いられることがなく、鍵穴から鍵Ｋを楽に抜き取ることができる。それ故、遊技場の店員にとって、解錠及び施錠の操作がスムーズに行えて扱いやすい遊技機となっている。
【００６０】
また、本実施形態の復帰バネ５８は、カム５２が待機位置に配置された状態において、シリンダ錠の錠軸５０ａと該バネの枠体側端部（非カム側端部＝非可動片側端部）とを結ぶ仮想線上に該バネのカム側端部（可動片側端部）が位置し得るように設けられている。かかる設置状況下では、復帰バネ５８にバネ力が働いていたとしても、カム５２の回動軸たる錠軸周りでのモーメントは発生せず、カムは回動しない（即ち待機位置に停止する）。他方、カム５２が待機位置から回動されると、復帰バネ５８が伸ばされ、その伸びを解消しようとする復元力（バネ力）が発生すると共に、復帰バネ５８のカム側端部がシリンダ錠の錠軸５０ａと復帰バネ５８の枠体側端部とを結ぶ仮想線から外れることで、前記復元力に基づくモーメントが発生する。このモーメントは、カム５２の回動方向にかかわらずカム５２を回動後位置から待機位置に復帰させる方向に働き、カム５２が待機位置に戻ったときに消滅する。つまり本実施形態によれば、復帰バネ５８を設けたことで、カム５２を待機位置に安定的に保持することと、回動後におけるカム５２の強制復帰とを同時に達成することができる。
【００６１】
（変更例）本発明の実施形態を以下のように変更してもよい。
・正規の待機位置にあるカム５２に対して復帰バネ５８を図７に示すような位置（即ちカムの両腕部５４，５５間を二等分する対称線に沿った位置）に配置してもよい。この場合も、シリンダ錠の錠軸５０ａと復帰バネ５８の枠体側端部とを結ぶ仮想線（即ち前記対称線）上に当該復帰バネのカム側端部が位置する。
【００６２】
・復帰バネ５８の数は１つに限定されるものではなく、図８に示すように、カム５２に対して複数の復帰バネ５８（図８では二つ）を設けてもよい。この場合も各復帰バネ５８について、シリンダ錠の錠軸５０ａと復帰バネ５８の枠体側端部とを結ぶ仮想線上に当該復帰バネのカム側端部が位置することが好ましい。
【００６３】
・本発明を、パチンコ機以外の遊技機（例えば、スロットマシンや、パチンコ機とスロットマシンとの融合機）に適用してもよい。また、本発明の適用対象は施錠装置に限定されるものではなく、遊技機に取り付けられる錠や、遊技機に設けられるその他の「錠を利用した装置」に本発明を適用してもよい。
【００６４】
【発明の効果】
以上詳述したように本発明の遊技機によれば、錠の鍵穴に差し込んだ鍵を回動操作した後に、鍵穴から鍵を従来よりも比較的抜き取り易い状態に戻すことができる。
【図面の簡単な説明】
【図１】遊技機としてのパチンコ機の概略正面図。
【図２】遊技機としてのパチンコ機の概略右側面図。
【図３】施錠装置（横倒し状態）の正面図。
【図４】施錠装置のシリンダ錠付近を拡大して示す部分正面図。
【図５】施錠装置のシリンダ錠付近を拡大して示す部分平面図。
【図６】施錠装置の解錠操作時の動作を示す図５相当の図であって、（Ａ）はガラス枠解錠時の部分平面図、（Ｂ）は前面枠解錠時の部分平面図。
【図７】変更例に関する図５相当の部分平面図。
【図８】変更例に関する図５相当の部分平面図。
【符号の説明】
１０…パチンコ機（遊技機）、１２…前面枠（第１の開閉部材）、１３…ガラス枠（第２の開閉部材）、２０…施錠装置、２１…枠体（錠の支持体）、２９…枠体側のフック部（バネ用係止部）、３０…作動部材、３３…ガラス枠用係合機構（３０及び３３は第２開閉部材用の施解錠機構を構成する）、４１Ａ，４１Ｂ…上側及び下側の鉤部材（３０，４１Ａ及び４１Ｂは第１開閉部材用の施解錠機構を構成する）、５０…シリンダ錠（錠）、５０ａ…錠軸、５２…カム（可動片）、５３…カム側のフック部（バネ用係止部）、５４…カムの第１腕部、５５…カムの第２腕部、５８…復帰バネ（復帰手段）、Ｋ…シリンダ錠の専用鍵。
【図１】
2004008491.tif 000003
【図２】
2004008491.tif 000004
【図３】
2004008491.tif 000005
【図４】
2004008491.tif 000006
【図５】
2004008491.tif 000007
【図６】
2004008491.tif 000008
【図７】
2004008491.tif 000009
【図８】
2004008491.tif 000010